【手続補正書】
【提出日】平成20年5月23日(2008.5.23)
【手続補正１】
【補正対象書類名】特許請求の範囲
【補正対象項目名】請求項１
【補正方法】変更
【補正の内容】
【請求項１】
静電潜像が形成される像担持体と、前記静電潜像を現像するための現像剤を担持するＮ個（Ｎは３以上の整数）の現像剤担持体が回転軌道上に設けられ、前記像担持体に対向する現像位置に前記Ｎ個の現像剤担持体を順に移動させて現像色を切り替えるロータリー現像装置と、前記現像剤担持体に担持された現像剤のトナー濃度を測定するトナー濃度センサとを備える画像形成装置であって、
前記ロータリー現像装置の回転中心と前記現像位置とを結ぶ第１の仮想直線に対して、前記ロータリー現像装置の回転方向と反対回りに第１の角度をなす第２の仮想直線上に、前記トナー濃度センサの測定位置を設定するとともに、
前記ロータリー現像装置の回転方向と反対回りに、前記Ｎ個の現像剤担持体を前記第１の角度と同じ角度間隔で１個目からＮ個目まで順に配置し、かつ前記Ｎ個目の現像剤担持体と前記１個目の現像剤担持体との間の角度間隔を前記第１の角度よりも大きい第２の角度に設定してなる
ことを特徴とする画像形成装置。
【手続補正２】
【補正対象書類名】特許請求の範囲
【補正対象項目名】請求項４
【補正方法】変更
【補正の内容】
【請求項４】
静電潜像が形成される像担持体と、前記静電潜像を現像するための現像剤を担持するＮ個（Ｎは３以上の整数）の現像剤担持体が回転軌道上に設けられ、前記像担持体に対向する現像位置に前記Ｎ個の現像剤担持体を順に移動させて現像色を切り替えるロータリー現像装置と、前記現像剤担持体に担持された現像剤のトナー濃度を測定するトナー濃度センサとを備える画像形成装置であって、
前記ロータリー現像装置の回転方向と反対回りに、前記Ｎ個の現像剤担持体を第１の角度間隔で１個目からＮ個目まで順に配置するとともに、前記Ｎ個目の現像剤担持体と前記１個目の現像剤担持体との間の角度間隔を前記第１の角度よりも大きい第２の角度に設定し、かつ前記１個目の現像剤担持体から前記ロータリー現像装置の回転方向に前記第１の角度と同じ角度を隔てた位置に前記ロータリー現像装置のホームポジションを設定し、
前記ロータリー現像装置の回転中心と前記現像位置とを結ぶ第１の仮想直線に対して、前記ロータリー現像装置の回転方向と反対回りに前記第１の角度の２倍の角度をなす第２の仮想直線上に、前記トナー濃度センサの測定位置を設定してなる
ことを特徴とする画像形成装置。
【手続補正３】
【補正対象書類名】特許請求の範囲
【補正対象項目名】請求項６
【補正方法】変更
【補正の内容】
【請求項６】
静電潜像が形成される像担持体と、前記静電潜像を現像するための現像剤を担持するＮ個（Ｎは３以上の整数）の現像剤担持体が回転軌道上に設けられ、前記像担持体に対向する現像位置に前記Ｎ個の現像剤担持体を順に移動させて現像色を切り替えるロータリー現像装置と、前記現像剤担持体に担持された現像剤のトナー濃度を測定するトナー濃度センサとを備える画像形成装置であって、
前記ロータリー現像装置の回転中心と前記現像位置とを結ぶ第１の仮想直線に対して、前記ロータリー現像装置の回転方向と反対回りに第１の角度をなす第２の仮想直線上に、前記トナー濃度センサの測定位置を設定し、
前記ロータリー現像装置の回転方向と反対回りに、前記Ｎ個の現像剤担持体を１個目からＮ個目まで順に配置するとともに、前記Ｎ個目の現像剤担持体と前記１個目の現像剤担持体との間に前記ロータリー現像装置のホームポジションを設定し、かつ当該ホームポジションと前記１個目の現像剤担持体との間の角度間隔、前記１個目の現像剤担持体と２個目の現像剤担持体との間の角度間隔及び前記２個目の現像剤担持体と３個目の現像剤担持体との間の角度間隔をそれぞれ前記第１の角度と同じ角度に設定してなる
ことを特徴とする画像形成装置。
【手続補正４】
【補正対象書類名】明細書
【補正対象項目名】０００７
【補正方法】変更
【補正の内容】
【０００７】
本発明に係る第１の画像形成装置は、静電潜像が形成される像担持体と、この静電潜像を現像するための現像剤を担持するＮ個（Ｎは３以上の整数）の現像剤担持体が回転軌道上に設けられ、像担持体に対向する現像位置にＮ個の現像剤担持体を順に移動させて現像色を切り替えるロータリー現像装置と、現像剤担持体に担持された現像剤のトナー濃度を測定するトナー濃度センサとを備える画像形成装置であって、ロータリー現像装置の回転中心と現像位置とを結ぶ第１の仮想直線に対して、ロータリー現像装置の回転方向と反対回りに第１の角度をなす第２の仮想直線上に、トナー濃度センサの測定位置を設定するとともに、ロータリー現像装置の回転方向と反対回りに、Ｎ個の現像剤担持体を第１の角度と同じ角度間隔で１個目からＮ個目まで順に配置し、かつＮ個目の現像剤担持体と１個目の現像剤担持体との間の角度間隔を第１の角度よりも大きい第２の角度に設定したものである。
【手続補正５】
【補正対象書類名】明細書
【補正対象項目名】００１１
【補正方法】変更
【補正の内容】
【００１１】
本発明の第２の画像形成装置は、静電潜像が形成される像担持体と、静電潜像を現像するための現像剤を担持するＮ個（Ｎは３以上の整数）の現像剤担持体が回転軌道上に設けられ、像担持体に対向する現像位置にＮ個の現像剤担持体を順に移動させて現像色を切り替えるロータリー現像装置と、現像剤担持体に担持された現像剤のトナー濃度を測定するトナー濃度センサとを備える画像形成装置であって、ロータリー現像装置の回転方向と反対回りに、Ｎ個の現像剤担持体を第１の角度間隔で１個目からＮ個目まで順に配置するとともに、Ｎ個目の現像剤担持体と１個目の現像剤担持体との間の角度間隔を第１の角度よりも大きい第２の角度に設定し、かつ１個目の現像剤担持体からロータリー現像装置の回転方向に第１の角度と同じ角度を隔てた位置にロータリー現像装置のホームポジションを設定し、ロータリー現像装置の回転中心と現像位置とを結ぶ第１の仮想直線に対して、ロータリー現像装置の回転方向と反対回りに第１の角度の２倍の角度をなす第２の仮想直線上に、トナー濃度センサの測定位置を設定したものである。
【手続補正６】
【補正対象書類名】明細書
【補正対象項目名】００１４
【補正方法】変更
【補正の内容】
【００１４】
本発明の第３の画像形成装置は、静電潜像が形成される像担持体と、静電潜像を現像するための現像剤を担持するＮ個（Ｎは３以上の整数）の現像剤担持体が回転軌道上に設けられ、像担持体に対向する現像位置にＮ個の現像剤担持体を順に移動させて現像色を切り替えるロータリー現像装置と、現像剤担持体に担持された現像剤のトナー濃度を測定するトナー濃度センサとを備える画像形成装置であって、ロータリー現像装置の回転中心と現像位置とを結ぶ第１の仮想直線に対して、ロータリー現像装置の回転方向と反対回りに第１の角度をなす第２の仮想直線上に、トナー濃度センサの測定位置を設定し、ロータリー現像装置の回転方向と反対回りに、Ｎ個の現像剤担持体を１個目からＮ個目まで順に配置するとともに、Ｎ個目の現像剤担持体と１個目の現像剤担持体との間にロータリー現像装置のホームポジションを設定し、かつ当該ホームポジションと１個目の現像剤担持体との間の角度間隔、１個目の現像剤担持体と２個目の現像剤担持体との間の角度間隔及び２個目の現像剤担持体と３個目の現像剤担持体との間の角度間隔をそれぞれ第１の角度と同じ角度に設定したものである。